【事件の表示】
　特許第２８３６６３７号「無線通信機の制御装置」の請求項１ないし４に係る特許に対する特許異議の申立てについて、次のとおり決定する。
【結　論】
　訂正を認める。
　特許第２８３６６３７号の請求項１ないし４に係る特許を維持する。
【理　由】
１．手続の経緯
　本件特許第２８３６６３７号は、三菱電機株式会社より出願されたものであって、その主な手続の経緯は以下の通りである。
　特許出願　　　　　　　　平成　２年　７月　６日
　特許権設定登録　　　　　平成１０年１０月　９日
　特許公報発行　　　　　　平成１０年１２月１４日
　特許異議申立　　　　　　平成１１年　６月１４日
　　　　　　　　　　　　（異議申立人　渡部廣美）
　取消理由通知　　　　　　平成１１年１０月２０日
　意見書および訂正請求書　平成１１年１２月２４日
　訂正拒絶理由通知　  　　平成１２年　６月１４日
　意見書　　　　　　　　　平成１２年　８月２８日
　
２．訂正の適否
（１）訂正請求の内容
　本件訂正請求の内容は、特許請求の範囲の減縮を目的として、
（ａ）訂正前の明細書の特許請求の範囲の請求項１に係る記載
　「（１）ＴＤＭＡ通信方式用の無線通信機に設けられた制御装置であって、外部から与えられたマスタクロックを計数するとともに、所定の周期で計数値を循環させるタイマ回路と、複数のストローブ信号発生タイミングを作成するための複数の設定値と前記複数の設定値に対応する各ストローブ信号の出力先を示す複数の出力先情報とを記憶し、当該複数の設定値のうちの任意の設定値とともに当該設定値に対応する前記出力先情報を出力するデータ更新回路と、前記タイマ回路の前記計数値と前記データ更新回路より出力された前記設定値とを比較して、一致したときにストローブ信号を出力するストローブ信号発生回路と、前記データ更新回路より出力された前記出力先情報にもとづいて前記ストローブ信号発生回路より出力された前記ストローブ信号を無線部に対して出力する選択回路と、前記タイマ回路に前記所定の周期を設定するとともに、前記データ更新回路に前記設定値および前記出力先情報を設定する制御回路とを備えた無線通信機の制御装置。」を
　「（１）ＴＤＭＡ通信方式用の無線通信機に設けられた制御装置であって、外部から与えられたマスタクロックを計数するとともに、一つのＴＤＭＡフレーム周期で計数値を循環させるタイマ回路と、複数のストローブ信号発生タイミングを作成するための前記一つのＴＤＭＡフレーム内の複数のタイミング設定値と前記複数のタイミング設定値に対応する各ストローブ信号の出力先を示す複数の出力先情報とを記憶し、当該複数のタイミング設定値のうちの任意のタイミング設定値とともに当該タイミング設定値に対応する前記出力先情報を出力するデータ更新回路と、前記タイマ回路の前記計数値と前記データ更新回路より出力された前記タイミング設定値とを比較して、一致したときにストローブ信号を出力するストローブ信号発生回路と、前記データ更新回路より出力された前記出力先情報にもとづいて前記ストローブ信号発生回路より出力された前記ストローブ信号を無線部に対して出力する選択回路と、前記タイマ回路に前記一つのＴＤＭＡフレーム周期を設定するとともに、前記データ更新回路に複数の前記タイミング設定値および前記出力先情報を設定する制御回路とを備えた無線通信機の制御装置。」と訂正し、
（ｂ）訂正前の明細書の特許請求の範囲の請求項２に係る記載
　「（２）ＴＤＭＡ通信方式用の無線通信機に設けられた制御装置であって、受信信号からユニークワードを検出するユニークワード検出回路と、外部から与えられたマスタクロックを計数するとともに、所定の周期で計数値を循環させるタイマ回路と、このタイマ回路の前記計数値と設定値とを比較して、一致したときに無線部に対してストローブ信号を出力するストローブ信号発生回路と、前記タイマ回路に所定の周期を設定するとともに、ストローブ信号発生回路に前記設定値を設定し、前記ユニークワードを検出したときの前記タイマ回路の計数値に応じた受信タイミングのずれ量を用いて前記タイマ回路の計数値を補正する制御回路とを備えた無線通信機の制御装置。」を
　「（２）ＴＤＭＡ通信方式用の無線通信機に設けられた制御装置であって、受信信号からユニークワードを検出するユニークワード検出回路と、外部から与えられたマスタクロックを計数するとともに、一つのＴＤＭＡフレーム周期で計数値を循環させるタイマ回路と、このタイマ回路の前記計数値と前記ＴＤＭＡフレーム内のタイミング設定値とを比較して、一致したときに無線部に対してストローブ信号を出力するストローブ信号発生回路と、前記タイマ回路に前記一つのＴＤＭＡフレーム周期を設定するとともに、ストローブ信号発生回路に前記一つのＴＤＭＡフレーム内のタイミング設定値を設定し、前記ユニークワードを検出したときの前記タイマ回路の計数値に応じた受信タイミングのずれ量を用いて前記タイマ回路の計数値を補正する制御回路とを備えた無線通信機の制御装置。」と訂正し、
（ｃ）訂正前の明細書の特許請求の範囲の請求項３に係る記載
　「（３）ＴＤＭＡ通信方式用の無線通信機に設けられた制御装置であって、外部から与えられたマスタクロックを計数するとともに、受信信号の一つのＴＤＭＡフレームに対応した周期で計数値を循環させるタイマ回路と、無線部が受信起動されている間、前記タイマ回路の前記計数値と設定値とを比較して、一致したときに無線部に対してストローブ信号を出力するストローブ信号発生回路と、前記タイマ回路がカウントアップする毎に計数を行い、受信信号のスーパーフレームを構成する１周分のＴＤＭＡフレームの数に対応した周期で計数値を循環させるフレーム数カウン夕と、このフレーム数力ウンタの計数値と第２の設定値とを比較して、一致したときに無線部に対して受信起動信号を出力する受信起動信号発生回路と、前記タイマ回路に所定の周期を設定し、前記ストローブ信号発生回路に前記設定値を設定するとともに、前記受信起動信号発生回路に前記第２の設定値を設定する制御回路とを備えた無線通信機の制御装置。」を
　「（３）ＴＤＭＡ通信方式用の無線通信機に設けられた制御装置であって、外部から与えられたマスタクロックを計数するとともに、受信信号の一つのＴＤＭＡフレームに対応した周期で計数値を循環させるタイマ回路と、無線部が受信起動されている間、前記タイマ回路の前記計数値と前記一つのＴＤＭＡフレーム内のタイミング設定値とを比較して、一致したときに無線部に対してストローブ信号を出力するストローブ信号発生回路と、前記タイマ回路がカウントアップする毎に計数を行い、受信信号のスーパーフレームを構成する１周分のＴＤＭＡフレームの数に対応した周期で計数値を循環させるフレーム数カウンタと、このフレーム数カウン夕の計数値と受信すべきＴＤＭＡフレーム番号とを比較して、一致したときに無線部に対して受信起動信号を出力する受信起動信号発生回路と、前記タイマ回路に前記一つのＴＤＭＡフレームに対応した周期を設定し、前記ストローブ信号発生回路に前記一つのＴＤＭＡフレーム内のタイミング設定値を設定するとともに、前記受信起動信号発生回路に前記ＴＤＭＡフレーム番号を設定する制御回路とを備えた無線通信機の制御装置。」と訂正し、
（ｄ）訂正前の明細書の特許請求の範囲の請求項４に係る記載
　「（４）ＴＤＭＡ通信方式用の無線通信機に設けられた制御装置であって、外部から与えられたマスタクロックを計数するとともに、所定の周期で計数値を循環させる第１のタイマ回路と、この第１のタイマ回路の前記計数値と設定値とを比較して、一致したときに無線受信部に対してストローブ信号を出力する第１のストローブ信号発生回路と、前記第１のタイマ回路の前記計数値と相手局との通信で生ずる伝搬遅延時間に相当したタイミング補正値とを比較して、一致したときにトリガ信号を出力する比較回路と、前記トリガ信号を契機として前記マスタクロックの計数を開始する第２のタイマ回路と、この第２のタイマ回路の計数値と送信用設定値とを比較して、一致したときに無線送信部に対してストローブ信号を出力する第２のストローブ信号発生回路と、前記第１のタイマ回路に前記所定の周期を設定するとともに前記第１のストローブ信号発生回路に前記設定値を設定し、かつ、前記比較回路に対してタイミング補正値を設定するとともに前記第２のストローブ信号発生回路に対して前記送信用設定値を設定する制御回路とを備えた無線通信機の制御装置。」を
　「（４）ＴＤＭＡ通信方式用の無線通信機に設けられた制御装置であって、外部から与えられたマスタクロックを計数するとともに、受信用の一つのＴＤＭＡフレーム周期で計数値を循環させる第１のタイマ回路と、この第１のタイマ回路の前記計数値と前記受信用の一つのＴＤＭＡフレーム内のタイミング設定値とを比較して、一致したときに無線受信部に対してストローブ信号を出力する第１のストローブ信号発生回路と、前記第１のタイマ回路の前記計数値と相手局との通信で生ずる伝搬遅延時間に相当したタイミング補正値とを比較して、一致したときにトリガ信号を出力する比較回路と、前記トリガ信号を契機として前記マスタクロックの計数を開始する第２のタイマ回路と、この第２のタイマ回路の計数値と送信用の一つのＴＤＭＡフレーム内のタイミング設定値とを比較して、一致したときに無線送信部に対してストローブ信号を出力する第２のストローブ信号発生回路と、前記第１のタイマ回路に前記受信用の一つのＴＤＭＡフレーム周期を設定するとともに前記第１のストローブ信号発生回路に前記受信用の一つのＴＤＭＡフレーム内のタイミング設定値を設定し、かつ、前記比較回路に対してタイミング補正値を設定するとともに前記第２のストローブ信号発生回路に対して前記送信用の一つのＴＤＭＡフレーム内のタイミング設定値を設定する制御回路とを備えた無線通信機の制御装置。」
と訂正するものである。
　
（２）訂正の目的の適否、新規事項の有無、および拡張・変更の存否
　上記訂正請求（ａ）〜（ｄ）は、特許請求の範囲の減縮を目的としたものであり、
訂正事項（ａ）の「所定の周期」を「一つのＴＤＭＡフレーム周期」と限定することは、タイマー回路が計数する周期が一つのＴＤＭＡフレーム周期であることが当初明細書の第８頁第１７〜１９行目および第１０頁第１２〜１５行目に記載されており、また、ストローブ信号発生タイミングを作成するための「設定値」を「一つのＴＤＭＡフレーム内のタイミング設定値」と限定することは、当初明細書第１２頁第６〜１５行目および第２図に記載されている。
　また、訂正事項（ｂ）について、「所定の周期」を「一つのＴＤＭＡフレーム周期」と限定することは、タイマー回路が計数する周期が一つのＴＤＭＡフレーム周期であることが当初明細書の第８頁第１７〜１９行目および第１０頁第１２〜１５行目に記載されており、また、ストローブ信号発生タイミングを作成するための「設定値」を「一つのＴＤＭＡフレーム内のタイミング設定値」と限定することは、当初明細書第１２頁第６〜１５行目および第２図に記載されている。
　また、訂正事項（ｃ）について、ストロープ信号発生回路の「設定値」を「一つのＴＤＭＡフレーム内のタイミング設定値」と限定することは、当初明細書第１２頁第６〜１５行目および第２図に記載されており、また、「第２の設定値」を「ＴＤＭＡフレーム番号」と限定することは、第２の設定値がＴＤＭＡフレーム番号であることが、当初明細書第２０頁第７〜１０行目に記載されている。
　さらに、訂正事項（ｄ）について、「所定の周期」を「受信用の一つのＴＤＭＡフレーム周期」と限定しているが、第１のタイマー回路が計数する周期が受信用の一つのＴＤＭＡフレーム周期であることは、当初明細書の第８頁第１７〜１９行目および第１０頁第１２〜１５行目に記載されており、また、ストローブ信号発生タイミングを作成するための「設定値」を「受信用の一つのＴＤＭＡフレーム内のタイミング設定値」と限定することは、当初明細書第１２頁第６〜１５行目および第２１頁第１２〜１４行目に記載されている。さらに、「送信用設定値」を「送信用の一つのＴＤＭＡフレーム内のタイミング設定値」と限定することは、当初明細書第１２頁第６〜１５行目および第２１頁第１８〜２０行目に記載されている。
　したがって、これら訂正請求（ａ）〜（ｄ）は、特許請求の範囲の減縮に該当し、また、該訂正は、願書に添付した明細書又は図面に記載した事項の範囲内の訂正であり、実質的に特許請求の範囲に新規事項を追加し、拡張し、又は変更するものではない
　
（３）独立特許要件の判断
　Ａ．訂正拒絶理由通知の概要
　当審が、平成１２年６月１４日付けで通知した訂正拒絶理由通知の概要は、
　本件特許第２８３６６３７号の請求項１に係る発明は、刊行物１（特開昭６１−２８２４８号公報）に記載の発明から当業者が容易に発明をすることができたものであり、また、請求項２に係る発明は、刊行物２（特開昭６１−１８４０１４号公報）に記載の発明から当業者が容易に発明をすることができたものであるから、本件請求項１，２に係る発明は、特許法第２９条第２項の規定に違反して特許されたものである、
というものである。
　
　Ｂ．刊行物１，２に記載の発明
　刊行物１に記載の発明は、電子回路の動作タイミング制御、特にＴＤＭＡ通信装置の送受信タイミング制御に使用するプログラマブルパルス発生回路に関するものであり、そのタイミングパルス発生回路はコンピュータを介してメモリに書込まれているタイミングパルス発生情報（長さ，位置，出力端子等）をシーケンシャルに読出し、必要なタイミングパルスを発生しており、カウンタはフレームパルスでリセットされながら常時走っているが、その値とメモリの値とを比較器で比較し、一致したらその時点でスタートパルスがタイミングパルス発生回路から送出される。そこで、このスタートパルスを受けた回路、例えば送信側ではこれを用いて割当られたタイムスロットで送信バーストを送信し、受信側では割当られた受信スロットで受信するものである。また、ＴＤＭＡ装置等で使用する基本的なタイミングは種類が少なく、それらの組合せにより必要なタイミングパルス情報が得られることに着目し、予め必要な基本的タイミングを内部レジスタに書込んでおき、メモリから内部レジスタの番号を指示することで指示された内部レジスタの基本的なタイミングをセレクタを介して読出してタイミングパルス情報を得、このタイミングパルス情報を用いてパルス発生回路より対応するタイミングパルスを出力するものである。また、この回路は、システム立上げ時にタイミング制御用コンピュータ（ＣＰＵ）がバーストの長さ、ガードタイム長などの基本的なタイミングを内部レジスタに書込むとともに、ＣＰＵはこれらの基本的なタイミングをどの様に組み合わせ、どの様な順序でそれを読出せば自局に割当てられたタイムスロットに送信／受信出来るかを求め、それをメモりに書込む。メモリは使用する内部レジスタの番号をセレクタに指示することにより、対応するタイミングパルス情報がパルス発生回路に加えられ、必要なタイミングパルスが送出される。パルス発生回路はタイミングパルスを発生すると共にアドレスカウンタを１つアップするので、メモリからそのアドレスに対応する内部レジスタが指定され、必要なタイミングパルスが送出される。又、デイマンドアサインＴＤＭＡ方式ではタイムスロットの長さ、位置の割当が変化するので、前記ＣＰＵは変化したらそれに対応する組合せを求めメモリの内容を更新することが記載され、また、複数個の内部レジスタをまとめて１レジスタブロックを構成し、メモリによりあるレジスタブロックが指定されると、直ちにサブカウンタによりそのブロック内のレジスタが逐次読出され、サブセレクタ、セレクタを通ってタイミングカウンタ、行先デコーダでタイミング長の設定、行先デコードが行なわれることも記載されている。
　
　刊行物２は、衛星通信に用いられる時分割多元接続（ＴＤＭＡ）の改良に関し、特に衛星中継器に対する初期接続を改良した時分割多元接続通信における初期接続方式及びその装置に関するものであり、音声信号等の送信すべき信号はバースト合成回路に与えられ、ＰＣＭ符号化、多重化、同期信号の付加、スクランブリングなどが行われ、バースト状の高速ディジタル信号として出力され、変調回路に加えられ、変調出力は、送信電力制御回路を通って通常の変調出力として出力されるとともに、中継装置で中継されて送られてきた信号は受信装置に加えられ、低雑音増幅器、周波数変換器等を通り、中間周波数帯の信号として復調回路に加えられ、同期検波等の公知の方法により、高速ディジタル信号に復調され、バースト分離回路によりデスクランブリング、分離、復号化などが行われ、音声信号に復元されて受信出力として分配されるとともに、復調されたディジタル信号は分岐されて同期信号検出回路にも加えられ、ここで基準局から送信された基準バースト内の同期信号が抽出され、検出パルスが受信フレーム同期回路に送られ同回路内の受信フレームカウンタの同期をとるために使用される。この結果受信フレーム同期が確立され、受信フレームカウンタによって作られる受信タイムスロット信号が受信タイムスロットデコーダに送られ、ここで前述のバースト分離回路を作動させるために必要なゲート信号に変換され、バースト分離回路の各種動作を制御するために使用される。また、初期接続を開始しようとする局（Ｂ局）が他局（Ａ局）の制御を受けて初期接続を行う場合には、Ｂ局では復調回路で復調されたディジタル信号は分岐されて同期検出回路にも加えられ基準局同期信号のもつ特有なパタン（ＲＥＦ　ＵＷ）を検出し、検出パルスが受信フレーム同期回路に加えられ、受信フレーム同期回路は基準同期信号の存在する時間位置（タイムスロット）を含んだ、ある時間幅をもつ１フレーム周期のアパーチャを発生するアパーチャ発生器と、システムクロックを計数して１フレーム周期を作る受信フレームカウンタから成り、検出パルスはアパーチャ発生器のアパーチャの幅の中に入るもの、即ち１フレームの周期性をもったパルスが選別され、このパルスにより受信フレームカウンタは０にリセットされる。１フレームの基準長をＴｆシンボルとすると、定常同期状態においては受信フレームカウンタがＴｆになるごとに前記のパルスにより受信フレームカウンタは０にリセットされるがカウンタ自身もＴｆのデコーダを有していて、もしＲＥＦ　ＵＷ検出パルスが偶発的に抜けたとしてもＴｆになると自動的に０にリセットしフライホィール作用をして受信フレーム同期の高度な安定性を保持している。この受信フレームカウンタがＴｆになった時に０にリセットするパルスが受信フレームパルスとして出力されることが記載されている。
　
　Ｃ．当審の判断
　刊行物１には、請求項１に係る発明の「制御回路により一つのＴＤＭＡフレーム周期を設定する」ことができるタイマ回路の構成についての記載がなく、また、刊行物１には、そのことを示唆する記載も存在しない。そして、請求項１に係る発明は、上記限定によって、ストローブ信号の出力タイミングを変更する場合に、変更される位相に応じて新たに「前記タイマ回路に前記一つのＴＤＭＡフレーム周期を設定」し、その後変更前の値に「前記タイマ回路に前記一つのＴＤＭＡフレーム周期を設定する」ことにより、容易にストローブ信号の発生タイミングを変更後のＴＤＭＡフレームまたは指定スロットに対応するよう変更することができ、その結果すべてのストローブ信号を変更後のＴＤＭＡフレームまたは指定スロットに対応した正確なタイミングで出力することができるという、明細書記載の、所期の効果が得られるものと認められる。
　また、刊行物２には、請求項２に係る発明の「前記タイマ回路に前記一つのＴＤＭＡフレーム周期を設定するとともに、ストローブ信号発生回路に前記一つのＴＤＭＡフレーム内のタイミング設定値を設定し、前記ユニークワードを検出したときの前記タイマ回路の計数値に応じた受信タイミングのずれ量を用いて前記タイマ回路の計数値を補正する」構成についての記載がなく、また、刊行物２には、そのことを示唆する記載も存在しない。そして、請求項２に係る発明は、上記限定によって、例えば移動体通信に適した処理であるところの、移動平均処理を行うなど、「用途に応じて最適な補正が可能になる」という、明細書記載の、所期の効果が得られるものと認められる。
　したがって、請求項１に係るは、上記刊行物１に記載された発明と同一であるとも、または、上記刊行物１から当業者が容易に考えることができたものであるとも言うことはできず、また、請求項２に係る発明は、上記刊行物２に記載された発明と同一であるとも、または、上記刊行物２から当業者が容易に考えることができたものであるとも言うことはできないので、請求項１，２に係る発明は、特許法第２９条第２項の規定により、特許を受けることができない発明とすることはできない。
　また、請求項３，４に係る発明については、訂正拒絶の理由を発見しない。
　したがって、本件訂正明細書の請求項１〜４に係る発明は、本件特許出願の際独立して特許を受けることができない発明とすることはできない。
（４）むすび
　以上のとおりであるので、上記訂正請求は、特許法１２０条の４第２項及び、同条第３項で準用する同法第１２６条第２〜４項に適合するので、上記訂正請求を認める。
　
３．特許異議の申立についての判断
（１）特許異議申立ての理由の概要
　特許異議申立人　渡部廣美は、甲第１号証（特開昭６１−２８２４８号公報）（上記刊行物１），甲第２号証（特開昭６１−１８４０１４号公報）（上記刊行物２）を提出し、請求項１に係る発明は、甲第１号証に記載された発明に基づいて当業者が容易に発明をすることができたものであり、また、請求項２〜４に係る発明は、甲第２号証に記載された発明に基づいて当業者が容易に発明をすることができたものであるから、特許法第２９条第２項の規定により特許を受けることができないものであるから、同法第１１３条第２号により取り消されるべきものである、と主張している。
　
（２）本件特許の請求項１〜４に係る発明
　本件特許の請求項１〜４に係る発明（以下、「本件発明１〜４」と言う。）は、訂正明細書および図面の記載からみて、訂正請求書の請求項１〜４に記載された次のとおりのものである。
　「【請求項１】ＴＤＭＡ通信方式用の無線通信機に設けられた制御装置であって、外部から与えられたマスタクロックを計数するとともに、一つのＴＤＭＡフレーム周期で計数値を循環させるタイマ回路と、複数のストローブ信号発生タイミングを作成するための前記一つのＴＤＭＡフレーム内の複数のタイミング設定値と前記複数のタイミング設定値に対応する各ストローブ信号の出力先を示す複数の出力先情報とを記憶し、当該複数のタイミング設定値のうちの任意のタイミング設定値とともに当該タイミング設定値に対応する前記出力先情報を出力するデータ更新回路と、前記タイマ回路の前記計数値と前記データ更新回路より出力された前記タイミング設定値とを比較して、一致したときにストローブ信号を出力するストローブ信号発生回路と、前記データ更新回路より出力された前記出力先情報にもとづいて前記ストローブ信号発生回路より出力された前記ストローブ信号を無線部に対して出力する選択回路と、前記タイマ回路に前記一つのＴＤＭＡフレーム周期を設定するとともに、前記データ更新回路に複数の前記タイミング設定値および前記出力先情報を設定する制御回路とを備えた無線通信機の制御装置。
　【請求項２】ＴＤＭＡ通信方式用の無線通信機に設けられた制御装置であって、受信信号からユニークワードを検出するユニークワード検出回路と、外部から与えられたマスタクロックを計数するとともに、一つのＴＤＭＡフレーム周期で計数値を循環させるタイマ回路と、このタイマ回路の前記計数値と前記ＴＤＭＡフレーム内のタイミング設定値とを比較して、一致したときに無線部に対してスト口ーブ信号を出力するストローブ信号発生回路と、前記タイマ回路に前記一つのＴＤＭＡフレーム周期を設定するとともに、ストローブ信号発生回路に前記一つのＴＤＭＡフレーム内のタイミング設定値を設定し、前記ユニークワードを検出したときの前記タイマ回路の計数値に応じた受信タイミングのずれ量を用いて前記タイマ回路の計数値を補正する制御回路とを備えた無線通信機の制御装置。
　【請求項３】ＴＤＭＡ通信方式用の無線通信機に設けられた制御装置であって、外部から与えられたマスタクロックを計数するとともに、受信信号の一つのＴＤＭＡフレームに対応した周期で計数値を循環させるタイマ回路と、無線部が受信起動されている間、前記タイマ回路の前記計数値と前記一つのＴＤＭＡフレーム内のタイミング設定値とを比較して、一致したときに無線部に対してストローブ信号を出力するストローブ信号発生回路と、前記タイマ回路がカウントアップする毎に計数を行い、受信信号のスーパーフレームを構成する１周分のＴＤＭＡフレームの数に対応した周期で計数値を循環させるフレーム数カウンタと、このフレーム数カウンタの計数値と受信すべきＴＤＭＡフレーム番号とを比較して、一致したときに無線部に対して受信起動信号を出力する受信起動信号発生回路と、前記タイマ回路に前記一つのＴＤＭＡフレームに対応した周期を設定し、前記ストローブ信号発生回路に前記一つのＴＤＭＡフレーム内のタイミング設定値を設定するとともに、前記受信起動信号発生回路に前記ＴＤＭＡフレーム番号を設定する制御回路とを備えた無線通信機の制御装置。
　【請求項４】ＴＤＭＡ通信方式用の無線通信機に設けられた制御装置であって、外部から与えられたマスタクロックを計数するとともに、受信用の一つのＴＤＭＡフレーム周期で計数値を循環させる第１のタイマ回路と、この第１のタイマ回路の前記計数値と前記受信用の一つのＴＤＭＡフレーム内のタイミング設定値とを比較して、一致したときに無線受信部に対してストローブ信号を出力する第１のストローブ信号発生回路と、前記第１のタイマ回路の前記計数値と相手局との通信で生ずる伝搬遅延時間に相当したタイミング補正値とを比較して、一致したときにトリガ信号を出力する比較回路と、前記トリガ信号を契機として前記マスタクロックの計数を開始する第２のタイマ回路と、この第２のタイマ回路の計数値と送信用の一つのＴＤＭＡフレーム内のタイミング設定値とを比較して、一致したときに無線送信部に対してストローブ信号を出力する第２のストローブ信号発生回路と、前記第１のタイマ回路に前記受信用の一つのＴＤＭＡフレーム周期を設定するとともに前記第１のストローブ信号発生回路に前記受信用の一つのＴＤＭＡフレーム内のタイミング設定値を設定し、かつ、前記比較回路に対してタイミング補正値を設定するとともに前記第２のストローブ信号発生回路に対して前記送信用の一つのＴＤＭＡフレーム内のタイミング設定値を設定する制御回路とを備えた無線通信機の制御装置。」
　そして、請求項１に係る発明は、は、上記構成を採用することにより、ＴＤＭＡ通信方式用の無線通信機において、例えば、ＴＤＭＡフレームの位相や指定スロットの変更が必要となった場合に、データ更新回路に記憶されるすべてのストローブ信号のタイミング設定値を個々にすべて書き換える手間を要することなく、容易にストローブ信号の発生タイミングを変更後のＴＤＭＡフレームまたは指定スロットに対応するように変更することができ、その結果すべてのストローブ信号を変更後のＴＤＭＡフレームまたは指定スロットに対応した正確なタイミングで出力することができるという効果を奏するものであり、また、請求項２に係る発明は、上記構成を採用することにより、例えば、移動局が高速で移動している場合場合などに生ずる受信タイミング同期ずれを最適な方法で補正することができるという効果を奏するものであり、また、請求項３に係る発明は、上記構成を採用することにより、受信処理を必要としないときにはＣＰＵを非起動状態とすることによって低消費電力化が実現できるという効果を奏するものであり、また、請求項４に係る発明は、上記構成を採用することにより、基地局と移動局間の伝搬遅延時間を補償して移動局から送信信号を出力することができるという効果を奏するものである。
　
（３）異議申立人が提出した甲第１，２号証記載の発明
　甲第１号証（特開昭６１−２８２４８号公報）（刊行物１）および甲第２号証（特開昭６１−１８４０１４号公報）（刊行物２）に記載の発明は、上記「２．（３）Ｂ．刊行物１，２に記載の発明」の欄に記載したとおりである。
　
（４）本件発明１〜４と異議申立人が提出した甲第１，２号証刊行物記載の発明との対比・判断
　そこで、本件発明１と異議申立人が提出した甲第１号証刊行物記載の発明とを対比すると、甲第１号証刊行物は、衛星通信用のＴＤＭＡ通信方式に関するものであって、衛星通信においては、初期接続時に、使用するＴＤＭＡフレーム位相を決定すれば、その通信が終了するまで使用するＴＤＭＡフレーム位相を変更する必要がないので、甲第１号証刊行物には、本件発明１の構成要件の一部である、「制御回路により一つのＴＤＭＡフレーム周期を設定する」ことができるタイマ回路の構成についての記載がなく、また、甲第１号証刊行物１には、そのことを示唆する記載も存在しない。そして、本件発明１は、上記限定によって、ストローブ信号の出力タイミングを変更する場合に、変更される位相に応じて新たに前記タイマ回路に前記一つのＴＤＭＡフレーム周期を設定し、その後変更前の値に前記タイマ回路に前記一つのＴＤＭＡフレーム周期を設定することにより、容易にストローブ信号の発生タイミングを変更後のＴＤＭＡフレームまたは指定スロットに対応するように変更することができ、その結果すべてのストローブ信号を変更後のＴＤＭＡフレームまたは指定スロットに対応した正確なタイミングで出力することができるという、明細書記載の、所期の効果が得られるものと認められる。また、甲第２号証刊行物も衛星通信用のＴＤＭＡ通信方式に関するものであって、甲第１号証刊行物と同様である。したがって、本件発明１が、上記甲第１，２号証刊行物のいずれかに記載されている発明と同一であるとも、または、当該甲第１，２号証刊行物に記載されている発明から当業者が容易に発明をすることができたものともすることはできない。
　
　つぎに、本件発明２と異議申立人が提出した甲第２号証刊行物記載の発明とを対比すると、甲第２号証刊行物は静止衛星を用いた衛星通信用のＴＤＭＡ通信方式に関するものであって、静止衛星通信においては、通信継続中に基地局と衛星との間の距離が大幅に変動することはないので、初期接続時に使用するＴＤＭＡフレーム位相を決定すれば、その通信が終了するまでの間、使用するＴＤＭＡフレーム位相を変更する必要がないので、甲第２号証刊行物には、本件発明２の構成要件の一部である、「前記タイマ回路に前記一つのＴＤＭＡフレーム周期を設定するとともに、ストローブ信号発生回路に前記一つのＴＤＭＡフレーム内のタイミング設定値を設定し、前記ユニークワードを検出したときの前記タイマ回路の計数値に応じた受信タイミングのずれ量を用いて前記タイマ回路の計数値を補正する」構成についての記載がなく、また、甲第２号証刊行物には、そのことを示唆する記載も存在しない。そして、本件発明２は、上記限定によって、例えば移動体通信に適した処理であるところの、移動平均処理を行うなど、用途に応じて最適な補正が可能になるという、明細書記載の、所期の効果が得られるものと認められる。また、甲第１号証刊行物も衛星通信用のＴＤＭＡ通信方式に関するものであって、甲第２号証刊行物と同様である。したがって、本件発明２が、上記甲第１，２号証刊行物のいずれかに記載されている発明と同一であるとも、または、当該甲第１，２号証刊行物に記載されている発明から当業者が容易に発明をすることができたものともすることはできない。
　
　さらに、本件発明３は、その構成要件の一部として、「無線部が受信起動されている間、前記タイマ回路の前記計数値と前記一つのＴＤＭＡフレーム内のタイミング設定値とを比較して、一致したときに無線部に対してストローブ信号を出力するストローブ信号発生回路」，「フレーム数カウン夕の計数値と受信すべきＴＤＭＡフレーム番号とを比較して、一致したときに無線部に対して受信起動信号を出力する受信起動信号発生回路」および「前記タイマ回路に前記一つのＴＤＭＡフレームに対応した周期を設定し、前記ストローブ信号発生回路に前記一つのＴＤＭＡフレーム内のタイミング設定値を設定するとともに、前記受信起動信号発生回路に前記ＴＤＭＡフレーム番号を設定する制御回路」とを有しているが、甲第１，２号証刊行物には、上記構成についての記載がなく、また、甲第１，２号証刊行物には、そのことを示唆する記載も存在しない。そして、本件発明３は、上記限定によって、受信動作を要求されないときには、ＣＰＵを非起動状態とすることができ、低消費電力かが実現できるという、明細書記載の、所期の効果が得られるものと認められる。したがって、本件発明３が、上記甲第１，２号証刊行物のいずれかに記載されている発明と同一であるとも、または、当該甲第１，２号証刊行物に記載されている発明から当業者が容易に発明をすることができたものともすることはできない。
　
　さらにまた、本件発明４は、その構成要件の一部として、「第１のタイマ回路の前記計数値と前記受信用の一つのＴＤＭＡフレーム内のタイミング設定値とを比較して、一致したときに無線受信部に対してストローブ信号を出力する第１のストローブ信号発生回路」，「第２のタイマ回路の計数値と送信用の一つのＴＤＭＡフレーム内のタイミング設定値とを比較して、一致したときに無線送信部に対してストローブ信号を出力する第２のストローブ信号発生回路」および「前記第１のタイマ回路に前記受信用の一つのＴＤＭＡフレーム周期を設定するとともに前記第１のストローブ信号発生回路に前記受信用の一つのＴＤＭＡフレーム内のタイミング設定値を設定し、かつ、前記比較回路に対してタイミング補正値を設定するとともに前記第２のストローブ信号発生回路に対して前記送信用の一つのＴＤＭＡフレーム内のタイミング設定値を設定する制御回路」とを有しているが、甲第１，２号証刊行物には、上記構成についての記載がなく、また、甲第１，２号証刊行物には、そのことを示唆する記載も存在しない。そして、本件発明４は、上記限定によって、基地局と移動局との間の電波の伝搬遅延時間を補償して移動局から送信信号を出力することができるとともに、通信中に基地局から送信タイミング補正量の変更が通知されたときには、変更されたタイミング補正量を比較回路に設定することにより、新たな補正タイミングで送信制御することが可能になるという、明細書記載の、所期の効果が得られるものと認められる。したがって、本件発明４が、上記甲第１，２号証刊行物のいずれかに記載されている発明と同一であるとも、または、当該甲第１，２号証刊行物に記載されている発明から当業者が容易に発明をすることができたものともすることはできない。
　
４．まとめ
　以上のとおりであるので、本件特許異議申立ての理由および証拠によっては、本件発明１〜４に係る発明の特許を取り消すことはできない。
　また、ほかに本件請求項１〜４に係る発明の特許を取り消すべき理由を発見しない。
　よって、結論のとおり決定する。
【異議決定日】
平成１２年１１月２７日（２０００．１１．２７）
【訂正の要旨】
　　訂正の要旨
　特許第２８３６６３７号発明の明細書を、本件訂正請求書に添付された訂正明細書の通りに、すなわち特許請求の範囲の減縮を目的として、
　特許請求の範囲の請求項１に係る記載
　「（１）ＴＤＭＡ通信方式用の無線通信機に設けられた制御装置であって、外部から与えられたマスタクロックを計数するとともに、所定の周期で計数値を循環させるタイマ回路と、複数のストローブ信号発生タイミングを作成するための複数の設定値と前記複数の設定値に対応する各ストローブ信号の出力先を示す複数の出力先情報とを記憶し、当該複数の設定値のうちの任意の設定値とともに当該設定値に対応する前記出力先情報を出力するデータ更新回路と、前記タイマ回路の前記計数値と前記データ更新回路より出力された前記設定値とを比較して、一致したときにストローブ信号を出力するストローブ信号発生回路と、前記データ更新回路より出力された前記出力先情報にもとづいて前記ストローブ信号発生回路より出力された前記ストローブ信号を無線部に対して出力する選択回路と、前記タイマ回路に前記所定の周期を設定するとともに、前記データ更新回路に前記設定値および前記出力先情報を設定する制御回路とを備えた無線通信機の制御装置。」を
　「（１）ＴＤＭＡ通信方式用の無線通信機に設けられた制御装置であって、外部から与えられたマスタクロックを計数するとともに、一つのＴＤＭＡフレーム周期で計数値を循環させるタイマ回路と、複数のストローブ信号発生タイミングを作成するための前記一つのＴＤＭＡフレーム内の複数のタイミング設定値と前記複数のタイミング設定値に対応する各ストローブ信号の出力先を示す複数の出力先情報とを記憶し、当該複数のタイミング設定値のうちの任意のタイミング設定値とともに当該タイミング設定値に対応する前記出力先情報を出力するデータ更新回路と、前記タイマ回路の前記計数値と前記データ更新回路より出力された前記タイミング設定値とを比較して、一致したときにストローブ信号を出力するストローブ信号発生回路と、前記データ更新回路より出力された前記出力先情報にもとづいて前記ストローブ信号発生回路より出力された前記ストローブ信号を無線部に対して出力する選択回路と、前記タイマ回路に前記一つのＴＤＭＡフレーム周期を設定するとともに、前記データ更新回路に複数の前記タイミング設定値および前記出力先情報を設定する制御回路とを備えた無線通信機の制御装置。」と訂正し、
　また、特許請求の範囲の請求項２に係る記載
　「（２）ＴＤＭＡ通信方式用の無線通信機に設けられた制御装置であって、受信信号からユニークワードを検出するユニークワード検出回路と、外部から与えられたマスタクロックを計数するとともに、所定の周期で計数値を循環させるタイマ回路と、このタイマ回路の前記計数値と設定値とを比較して、一致したときに無線部に対してストローブ信号を出力するストローブ信号発生回路と、前記タイマ回路に所定の周期を設定するとともに、ストローブ信号発生回路に前記設定値を設定し、前記ユニークワードを検出したときの前記タイマ回路の計数値に応じた受信タイミングのずれ量を用いて前記タイマ回路の計数値を補正する制御回路とを備えた無線通信機の制御装置。」を
　「（２）ＴＤＭＡ通信方式用の無線通信機に設けられた制御装置であって、受信信号からユニークワードを検出するユニークワード検出回路と、外部から与えられたマスタクロックを計数するとともに、一つのＴＤＭＡフレーム周期で計数値を循環させるタイマ回路と、このタイマ回路の前記計数値と前記ＴＤＭＡフレーム内のタイミング設定値とを比較して、一致したときに無線部に対してストローブ信号を出力するストローブ信号発生回路と、前記タイマ回路に前記一つのＴＤＭＡフレーム周期を設定するとともに、ストローブ信号発生回路に前記一つのＴＤＭＡフレーム内のタイミング設定値を設定し、前記ユニークワードを検出したときの前記タイマ回路の計数値に応じた受信タイミングのずれ量を用いて前記タイマ回路の計数値を補正する制御回路とを備えた無線通信機の制御装置。」と訂正し、
　また、特許請求の範囲の請求項３に係る記載
　「（３）ＴＤＭＡ通信方式用の無線通信機に設けられた制御装置であって、外部から与えられたマスタクロックを計数するとともに、受信信号の一つのＴＤＭＡフレームに対応した周期で計数値を循環させるタイマ回路と、無線部が受信起動されている間、前記タイマ回路の前記計数値と設定値とを比較して、一致したときに無線部に対してストローブ信号を出力するストローブ信号発生回路と、前記タイマ回路がカウントアップする毎に計数を行い、受信信号のスーパーフレームを構成する１周分のＴＤＭＡフレームの数に対応した周期で計数値を循環させるフレーム数カウンタと、このフレーム数カウンタの計数値と第２の設定値とを比較して、一致したときに無線部に対して受信起動信号を出力する受信起動信号発生回路と、前記タイマ回路に所定の周期を設定し、前記ストローブ信号発生回路に前記設定値を設定するとともに、前記受信起動信号発生回路に前記第２の設定値を設定する制御回路とを備えた無線通信機の制御装置。」を
　「（３）ＴＤＭＡ通信方式用の無線通信機に設けられた制御装置であって、外部から与えられたマスタクロックを計数するとともに、受信信号の一つのＴＤＭＡフレームに対応した周期で計数値を循環させるタイマ回路と、無線部が受信起動されている間、前記タイマ回路の前記計数値と前記一つのＴＤＭＡフレーム内のタイミング設定値とを比較して、一致したときに無線部に対してストローブ信号を出力するストローブ信号発生回路と、前記タイマ回路がカウントアップする毎に計数を行い、受信信号のスーパーフレームを構成する１周分のＴＤＭＡフレームの数に対応した周期で計数値を循環させるフレーム数カウンタと、このフレーム数カウンタの計数値と受信すべきＴＤＭＡフレーム番号とを比較して、一致したときに無線部に対して受信起動信号を出力する受信起動信号発生回路と、前記タイマ回路に前記一つのＴＤＭＡフレームに対応した周期を設定し、前記ストローブ信号発生回路に前記一つのＴＤＭＡフレーム内のタイミング設定値を設定するとともに、前記受信起動信号発生回路に前記ＴＤＭＡフレーム番号を設定する制御回路とを備えた無線通信機の制御装置。」と訂正し、
　さらに、特許請求の範囲の請求項４に係る記載
　「（４）ＴＤＭＡ通信方式用の無線通信機に設けられた制御装置であって、外部から与えられたマスタクロックを計数するとともに、所定の周期で計数値を循環させる第１のタイマ回路と、この第１のタイマ回路の前記計数値と設定値とを比較して、一致したときに無線受信部に対してストローブ信号を出力する第１のストローブ信号発生回路と、前記第１のタイマ回路の前記計数値と相手局との通信で生ずる伝搬遅延時間に相当したタイミング補正値とを比較して、一致したときにトリガ信号を出力する比較回路と、前記トリガ信号を契機として前記マスタクロックの計数を開始する第２のタイマ回路と、この第２のタイマ回路の計数値と送信用設定値とを比較して、一致したときに無線送信部に対してストローブ信号を出力する第２のストローブ信号発生回路と、前記第１のタイマ回路に前記所定の周期を設定するとともに前記第１のストローブ信号発生回路に前記設定値を設定し、かつ、前記比較回路に対してタイミング補正値を設定するとともに前記第２のストローブ信号発生回路に対して前記送信用設定値を設定する制御回路とを備えた無線通信機の制御装置。」を
　「（４）ＴＤＭＡ通信方式用の無線通信機に設けられた制御装置であって、外部から与えられたマスタクロックを計数するとともに、受信用の一つのＴＤＭＡフレーム周期で計数値を循環させる第１のタイマ回路と、この第１のタイマ回路の前記計数値と前記受信用の一つのＴＤＭＡフレーム内のタイミング設定値とを比較して、一致したときに無線受信部に対してストローブ信号を出力する第１のストローブ信号発生回路と、前記第１のタイマ回路の前記計数値と相手局との通信で生ずる伝搬遅延時間に相当したタイミング補正値とを比較して、一致したときにトリガ信号を出力する比較回路と、前記トリガ信号を契機として前記マスタクロックの計数を開始する第２のタイマ回路と、この第２のタイマ回路の計数値と送信用の一つのＴＤＭＡフレーム内のタイミング設定値とを比較して、一致したときに無線送信部に対してストローブ信号を出力する第２のストローブ信号発生回路と、前記第１のタイマ回路に前記受信用の一つのＴＤＭＡフレーム周期を設定するとともに前記第１のストローブ信号発生回路に前記受信用の一つのＴＤＭＡフレーム内のタイミング設定値を設定し、かつ、前記比較回路に対してタイミング補正値を設定するとともに前記第２のストローブ信号発生回路に対して前記送信用の一つのＴＤＭＡフレーム内のタイミング設定値を設定する制御回路とを備えた無線通信機の制御装置。」と訂正する。
（５４）【発明の名称】
無線通信機の制御装置
（５７）【特許請求の範囲】
（１）ＴＤＭＡ通信方式用の無線通信機に設けられた制御装置であって、外部から与えられたマスタクロックを計数するとともに、
一つのＴＤＭＡフレーム
前記一つのＴＤＭＡフレーム内の複数のタイミング
タイミング
タイミング
タイミング
タイミング
タイミング
一つのＴＤＭＡフレーム
複数の
タイミング
（２）ＴＤＭＡ通信方式用の無線通信機に設けられた制御装置であって、受信信号からユニークワードを検出するユニークワード検出回路と、外部から与えられたマスタクロックを計数するとともに、
一つのＴＤＭＡフレーム
前記ＴＤＭＡフレーム内のタイミング
前記一つのＴＤＭＡフレーム
一つのＴＤＭＡフレーム内のタイミング
（３）ＴＤＭＡ通信方式用の無線通信機に設けられた制御装置であって、外部から与えられたマスタクロックを計数するとともに、受信信号の一つのＴＤＭＡフレームに対応した周期で計数値を循環させるタイマ回路と、無線部が受信起動されている間、前記タイマ回路の前記計数値と
前記一つのＴＤＭＡフレーム内のタイミング
受信すべきＴＤＭＡフレーム番号
前記一つのＴＤＭＡフレームに対応した
一つのＴＤＭＡフレーム内のタイミング
ＴＤＭＡフレーム番号
（４）ＴＤＭＡ通信方式用の無線通信機に設けられた制御装置であって、外部から与えられたマスタクロックを計数するとともに、
受信用の一つのＴＤＭＡフレーム
前記受信用の一つのＴＤＭＡフレーム内のタイミング
の一つのＴＤＭＡフレーム内のタイミング
受信用の一つのＴＤＭＡフレーム
受信用の一つのＴＤＭＡフレーム内のタイミング
の一つのＴＤＭＡフレーム内のタイミング
【発明の詳細な説明】
〔産業上の利用分野〕
　この発明は、時分割多元接続方式による無線通信方式に適した無線通信機の制御装置に関するものである。
〔従来の技術〕
　第２２図は例えば三菱電機技報第６０巻第１０号（１９８６年）ｐｐ．５５．５９に示された従来の無線通信機である自動車電話システムの移動局の構成を示すブロック図である。図において、１は送受信アンテナ、２は送信と受信とを１つのアンテナで行うために設けられたアンテナ共用器、３は送信信号の変調や増幅を行う送信部、４は必要な周波数を発振する周波数シンセサイザ、５は所定の帯域の信号を復調する受信部、６は各部を制御する制御部、７は音声信号を扱うベースバンド信号処理部、８は送話部、９は受話部である。また、第２３図は制御部６をマイクロコンピュータで構成した場合の構成図である。図において、１０はＣＰＵ、１１はデータが読み書きされるＲＡＭ、１２はプログラムが格納されたＲＯＭ、１３はタイマ回路、１４１．１４６は外部とインタフェースするための入出力ポート（Ｉ／Ｏポート）、１６はバスである。
　次に動作について説明する。ＣＰＵ１０は、ＲＯＭ１２内のプログラムに従って動作する。つまり、Ｉ／Ｏポート１４１．１４６のうち送信部３、周波数シンセサイザ４、受信部５（これらをまとめて無線部という。また、無線部のうち送信に関連する部分を無線送信部という。）およびベースバンド信号処理部７に割り当てられているＩ／Ｏポートを介して必要な制御信号を与えるとともに、それらから必要な情報を入力する。これらを制御しているときに、時間管理が必要な場合には、タイマ回路１３にタイマ割り込みを発生させ、そのタイマ割り込みに応じて実時間制御を行う。例えば、送信部起動信号（ＴＸＯＮ）を扱うときには、無線チャネルの割当て後の一定時間内にＴＸＯＮに割り当てられているＩ／Ｏポートをアクティブとする。また、通信が了すると、その後一定時間内にそのＩ／Ｏポートをインアクティブとする。
　このように、ＣＰＵ１０はＴＸＯＮ等の制御信号をＩ／Ｏポート１４１．１４６を介して無線部に与えている。従って、周波数分割多元接続方式（ＦＤＭＡ方式）により通信が行われる場合には、無線部の動作は定常的であるので、ＣＰＵ１０のこのような制御により無線部は問題なく動作する。しかし、例えば米国ＴＩＡで検討されている次期自動車電話システム（規格番号ＩＳ□５４）のような時分割多元接続方式（ＴＤＭＡ方式）により通信が行われる場合には、無線機の動作は間欠的である。つまり、第２４図に示すように、１つのＴＤＭＡフレームの中の割り当てられたタイムスロットのみについて送受信を行わなければならない。第２４図は３多重ＴＤＭＡ方式の場合を示している。従って、ＴＸＯＮを例にとれば、第２５図に示すように、そのタイムスロットに応じたＴＸＯＮが出力される必要がある。
〔発明が解決しようとする課題〕
　従来の無線通信機に使用されている制御装置（以下、単に制御装置という。）は以上のように構成されており、ＣＰＵ１０が制御信号の入出力制御を行なっていたため、マイクロ秒オーダで入出力される必要があるＴＤＭＡ方式における制御信号を正確なタイミングで入出力することがむずかしいという問題があった。仮にＣＰＵ１０やその他の周辺回路として高速に動作するものを使用したとしても、消費電力が増大したり装置が高価になるなどの課題があった。
　この発明は上記のような課題を解消するためになされたもので、ＴＤＭＡ方式の通信であっても、制御信号を正確なタイミングで処理することができ、しかも、制御信号の入出力タイミングの設定変更を容易に行うことができる柔軟な制御装置を得ることを目的とする。さらに、制御が複雑なため難しい送信系のタイミング制御を容易に実現することができる制御装置を得ることを目的とする。
〔課題を解決するための手段〕
　この発明に係る制御装置は、外部から与えられたマスタクロックを計数するとともに、制御回路の指定による所定数のマスタクロックを計数したときに計数値を計数開始時の値にもどかしてＴＤＭＡフレーム周期に応じた周期動作を行いうる第１のタイマ回路と、この第１のタイマ回路から出力された計数値と制御回路が設定した設定値とを比較して、それらが一致したときに無線受信部に対してストローブ信号を出力する第１のストローブ信号発生回路と、第１のタイマ回路から出力された計数値と制御回路が設定したタイミング補正値とを比較して、それらが一致したときにトリガ信号を出力する比較回路と、この比較回路が出力したトリガ信号を契機としてマスタクロックの計数を開始する第２のタイマ回路と、この第２のタイマ回路から出力された計数値と制御回路が設定した送信用設定値とを比較して、それらが一致したときに無線送信部に対してストローブ信号を出力する第２のストローブ信号発生回路とを備えたものである。
〔作用〕
　この発明における比較回路は、第１のタイマ回路が出力する周期的な計数値が、あらかじめ設定されたタイミング補正値となったときにトリガ信号を出力つう。第２のタイマ回路および第２のストローブ信号発生回路が作成する無線送信部に対するストローブ信号は、タイミング補正値に対応した値だけタイミング補正されたストローブ信号となる。
〔実施例〕
　以下、この発明を一実施例を図について説明する。第１図において、２０はＴＤＭＡフレームに対応した周期で計数値（タイマカウント値）が初期値にもどるタイマ回路、２２は基準クロックとなるベースバンドマスタクロック（以下、マスタクロックという。）の入力線、２４はタイマカウント値の供給線、３１．３ｎはストローブ信号を出力する比較回路、４１．４ｎはそれぞれストローブ信号（ＳＴＢ）が出力されるストローブ出力線であり、その他のものは同一符号を付して第２３図に示したものと同一のものである。ただし、ＲＯＭ１２に格納されているプログラムの内容は従来のものと異なる。なお、ここでは、厳しいタイミング制御を要求されない信号が通過するＩ／Ｏポート１４１，１４２のみが設けられている。また、この実施例では、ストローブ信号発生回路は比較回路３１．３ｎとして実現されている。制御回路はＣＰＵ１０およびＲＯＭ１２内のプログラムとして実現されている（従来のプログラムとは異なる。）。
　第３図はタイマ回路２０の構成例を示した構成図であり、図において、２０２はバス１６に接続されＣＰＵ１０から与えられた初期値を一時格納する初期値レジスタ、２０４はマスタクロックを計数するタイマカウンタである。
　また、第４図は比較回路３１の構成例を示す構成図であり、図において、３０２はバス１６に接続されＣＰＵ１０により設定値が設定される入力レジスタ、３０４は設定値を出力する出力レジスタ、３０６はタイマカウンタ２０４の計数値をラッチするラッチ回路、３０８は出力レジスタ３０４から出力される設定値とラッチ回路３０６が保持している値とを比較する比較器、３１０は比較器３０８が出力した一致検出パルスをマスタクロックに同期させる出力ラッチ回路である。なお、他の比較回路３２．３ｎの構成も同じである。
　次に動作について説明する。まず、ＣＰＵ１０は次のような初期設定を行う。つまり、タイマ回路２０の初期値レジスタ２０２に、（ＴＤＭＡフレームの１フレーム時間）÷（マスタクロック周期）の値に対応した初期値を設定する。また、各比較回路３１．３ｎの入力レジスタ３０２に、無線部が必要とする各種のストローブタイミングに応じた設定値を設定する。ＣＰＵ１０は、以後、ストローブタイミングを変更する等の必要を生じたとき以外のときには、ストローブ信号の発生に関与しない。
　タイマ回路２０のタイマカウンタ２０４は、マスタクロックを計数してカウントアップしたらキャリー信号を発生する。このキャリー信号により、初期値レジスタ２０２が保持している初期値が、タイマカウンタ２０４にロードされる。以後、タイマカウンタ２０４は、初期値から計数を開始しカウントアップによりキャリー信号を発生する動作を繰り返す。よって、キャリー信号の発生周期は、ＴＤＭＡフレームの周期に等しい。つまり、この場合には、初期値は、初期値とカウントアップ値との差が、（ＴＤＭＡフレーム１のフレーム時間）÷（マスタクロックの周期）となる値となっている。また、このキャリー信号は、ＣＰＵ１０に対するフレーム割込み信号（ＩＮＴ）ともなる。
　そして、タイマカウンタ２０４の計数値は、常時供給線２４に出力されている。よって、計数値は各比較回路３１．３ｎに供給される。各比較回路３１．３ｎにおいて、入力レジスタ３０２内の設定値は、フレーム割込み信号により出力レジスタ３０４に移送されているので、比較機３０８は、設定値とラッチ回路３０６に取込まれた計数値とを比較できる。そして、それらが一致したときに一致検出信号を出力する。この一致検出信号は、出力ラッチ回路３１０にマスタクロックによってラッチされる。この出力ラッチ回路３１０の出力はストローブ信号として無線部に出力される。第２図は、比較回路愛３１に「３」が設定され、比較回路３２に「１０」が設定された場合の計数値とストローブ信号との関係を示したものである。このストローブ信号は、無線部で必要とされるタイミング制御に用いられる。そして、例えばｎ個の比較回路３１．３ｎを設けた場合には、無線部に対してｎ種類のストローブ信号が供給される。以上の説明から明らかなように、各ストローブ信号も、ＴＤＭＡフレームの周期と同一の周期で発生する。
　なお、ストローブ信号のパルス幅よりも長いパルス値の信号が要求されるときには、第５図に示すように、出力ラッチ回路３１０の後段に、ＲＳフリップフロップ（Ｆ／Ｆ）５０を設ければよい。このようにして、第６図に示すようなパルス幅が広がった信号を作成できる。この信号のタイミングおよびパルス幅は、Ｆ／Ｆ５０の入力となる２つのストローブ信号に対応した比較回路３１．３ｎの設定値を制御することにより、任意の値に設定される。
　また、ストローブ信号の発生タイミングを変更することも容易である。つまり、タイミング変更が必要とされるときに受信するＴＤＭＡフレームの直前のＴＤＭＡフレームを受信しているときに、ＣＰＵ１０が比較回路３１．３ｎの入力レジスタ３０２に変更された設定値を設定しておけばよい。このようにすれば、次のフレーム割込み信号が出力されたときに出力レジスタ３０４に新たな設定値が設定され、ストローブ信号の発生タイミングが変更される。
　そして、ＴＤＭＡフレームの位相の調整または変更を行うこと、すなわちフレーム割込み信号の発生タイミングをずらすことも容易である。つまり、タイマ回路２０に与える初期値を、ずらしたい位相量に応じた値とし、フレーム割込み信号が出力されたら正規の初期値を再びタイマ回路２０に与えればよい。
　ところで、パルス幅の長い信号を発生させるために２つのストローブ信号を用いた場合について説明したが、同様の目的のためにカウンタ回路５１を用いてもよい。例えば、第７図に示すように、ＣＰＵ１０がカウンタ回路５１にパルス幅に相当するカウント値Ｋを設定しておく。そして、第８図に示すように、ストローブ信号ｎをトリガとしてカウントダウンを開始し、ボロー信号によってＦ／Ｆ５０をリセットする。このようにして、カウント値Ｋに応じたパルス幅を有する信号が作成される。なお、カウント値Ｋはカウンタ回路５１の内部に保持され、フレーム割込み信号によってカウンタ回路５１におけるカウントを行う部分にロードされる。
　また、無線部の周波数シンセサイザに対する周波数設定などのように、シリアルデータの転送が必要な場合には、第９図に示すように、出力ラッチ回路３１０の後段に、あらかじめデータが設定されるレジスタ５２と出力回路５４とを設ければよい。この場合には、ＣＰＵ１０はレジスタ５２に所定のデータを設定しておく。そして、出力回路５４は、ストローブ信号をトリガとしてデータを取込み、マスタクロックに同期して所定のデータをシリアルデータとして出力する。また、シリアルデータが出力されている間はイネーブル信号をアクティブとする。このようにして、無線部に対して任意のシリアルデータを出力することが可能になる。そして、このような回路を２つ設けることにより、ＴＤＭＡフレーム内での自チャネル以外の他のチャネルのモニタが容易になる。
　第１０図はこの発明の第２の実施例による制御装置を示すブロック図である。図において、３０は計数値と設定値とを比較する比較回路、６０は複数の設定値が設定されうるデータ更新回路、６２は所定のストローブ出力線４１．４ｎにストローブ信号を出力する選択回路である。この場合には、ストローブ信号発生回路は、比較回路３０、データ更新回路６０および選択回路６２で構成されている。なお、６１は比較回路３０が出力する一致検出パルスを示している。
　また、第１１図はデータ更新回路６０の構成例を示す構成図である。図において、６４はバス１６に接続され、ＣＰＵ１０から必要なデータを受け取って、そのデータをＲＡＭ６６に書き込む書込制御回路、６８は一致検出パルス６１を受けて比較回路３０および選択回路６２に必要なデータを与える読出制御回路である。
　次に動作について説明する。ＣＰＵ１０は初期設定時に、データ更新回路６０に対して、必要なストローブ発生タイミングを作成するための設定値とこれらの設定値に対応したストローブ信号の出力先を示す情報とを、ストローブ発生タイミング順に与える。すると、書込制御回路６４は、ＲＡＭ６６に設定値とストローブ信号の出力先を示す情報とを書き込む。比較回路３０は、例えば第４図に示すような構成となっている。ただし、この場合には、入力レジスタ３０２に設定された設定値は、直ちに出力レジスタ３０４に移送される。読出制御回路６８は、フレーム割込み信号を入力すると、第１番目の設定値を比較回路３０に与える。また、選択回路６２に第１番目の情報を与える。すると、比較回路３０は、この設定値とタイマ回路２０の計数値とを比較し、それらが一致したら一致検出パルス６１を選択回路６２および読出制御回路６８に出力する。選択回路６２は、第１番目の情報が示しているストローブ出力線４１．４ｎを選択し、選択されたストローブ出力線４１．４ｎにストローブ信号を出力する。一方、読出制御回路６８は、一致検出パルス６１を受けると次の設定値を比較回路３０に与えるとともに、その設定値に対応した情報を選択回路６２に与える。以後、この動作が繰り返されて必要な個数のストローブ信号が選択回路６２から出力される。また、各ストローブ信号の周期はＴＤＭＡフレームの周期に一致する。
　なお、上記各実施例は移動局について説明したが、送受信周期カウンタ設定を固定とし、ストローブ信号発生回路を複数チャネル分設けることにより、基地局についても適用可能である。
　また、移動局が高速で移動すると受信タイミング同期にずれが生ずるが、第１２図に示すような受信タイミングを検出するための回路を付加してこれを補正することができる。第１２図に示す第３の実施例による制御装置は、受信タイミングを補正するためにユニークワード検出回路１１２とラッチ回路１１４とをさらに設けたものである。また、ユニークワード検出回路１１２は、ストローブ信号のうちの所定の１本を導入している。このストローブ信号はその時点における基準タイミング信号を意味する信号となる。そして、まず、ユニークワード検出回路１１２は、ＣＰＵ１０の検出指示により動作を開始する。次に、基準タイミング信号に従って、ユニークワード検出回路１１２は、受信データと受信再生クロックとからユニークワードの検出を行う。ユニークワードが検出できると検出パルスを出力する。この検出パルスは、タイマ回路２０の計数値を導入しているラッチ回路１１４に与えられる。ラッチ回路１１４は、検出パルスによりそのときの計数値をラッチする。そして、ＣＰＵ１０は、ラッチ回路１１４に保持されている値を読み出す。読み出した値からＴＤＭＡフレームごとの受信同期タイミングを検出することができる。ＣＰＵ１０は、各ＴＤＭＡフレームの受信同期タイミングをもとに移動平均値処理などを行うことにより、受信タイミングのずれを検出できる。ＣＰＵ１０は、検出されたずれ量に応じた値をタイマ回路２０に設定し、その後、初期値を再設定することで、受信タイミングの補正を行うことができる。
　上記各実施例による制御装置は、間欠受信動作時にもＴＤＭＡフレーム単位のフレーム割込みによりＣＰＵ１０が割込まれることになる。従って、受信処理を必要としないときにもＣＰＵ１０を動作させておく必要があり、余分な電力を消費してしまう。第１３図に示す第４の実施例による制御装置は、そのような問題にも対応しうるものである。この場合には、受信したＴＤＭＡフレームの数をカウントするフレーム数カウンタ１２２、アクティブフレーム検出器１２４およびゲート回路１２６が設けられる。つまり、タイマ回路２０が出力するキャリー信号をフレーム割込み信号とはせず、キャリー信号はフレームパルス（ＦＰ）としてフレーム数カウンタ１２２に入力される。フレーム数カウンタ１２２は、スーパフレームを構成するＴＤＭＡフレームの数が１周分となるようなカウンタとなっている。例えば、スーパフレームが１２個のＴＤＭＡフレームで構成されている場合には、カウント値は「０」．「１１」の値を循環する。また、アクティブフレーム検出器１２４には、あらかじめＣＰＵ１０から、受信すべきＴＤＭＡフレームの番号を示すデータが通知されている。よって、アクティブフレーム検出器１２４は、フレーム数カウンタ１２２のカウント値と設定されている番号データとを比較して、それらが一致している間、受信起動信号を出力する。この受信起動信号はゲート回路１２６のゲート信号となっていて、ゲート回路１２６は、受信起動信号がアクティブとなっている間だけ、フレームパルスをフレーム割込み信号としてＣＰＵ１０に出力する。第１４図はスーパフレーム中の３つのＴＤＭＡフレームを間欠受信する場合の各信号の発生例を示したものである。このようにして、受信が必要とされる場合にのみフレーム割込み信号が発生するようにすれば、受信動作を要求されないときには、ＣＰＵ１０を非起動状態とすることができ、低消費電力化が実現できる。
　ところで、基地局（ＢＳ）と移動局（ＭＳ）との間の伝送では、第１５図に示すように伝搬遅延時間ｔａが生ずる。ＴＤＭＡ方式による通信にあっては、この伝搬遅延時間ｔａを補償して移動局から送信信号を出力することが要求される。
　第１６図はそのような補償をも行いうるこの発明の第５図の実施例による制御装置を示すブロック図である。図において、３は無線受信部に与えるストローブ信号（ＲＸＳＴＢ）を発生する第１のストローブ信号発生回路、７０はＣＰＵ１０より与えられるタイミング補正値とタイマ回路（第１のタイマ回路）２０の計数値とを比較する比較回路、８０はトリガ信号を契機としてマスタクロックの計数を開始する第２のタイマ回路、９０は無線送信部に与えるストローブ信号（ＴＸＳＴＢ）を発生する第２のストローブ信号発生回路である。９１．９ｍは無線送信部に接続されるストローブ出力線である。なお、第１のストローブ信号発生回路３および第２のストローブ信号発生回路９０の構成として、第１の実施例または第２の実施例におけるストローブ信号発生回路（第１図に示したものまたは第１０図に示したもの）の構成をそのまま採用できる。
　第１７図は比較回路７０の構成例を示す構成図である。図において、７０２はバス１６に接続され、ＣＰＵ１０によりタイミング補正値が設定される入力レジスタ、７０４はタイミング補正値を出力する出力レジスタ、７０６はタイマ回路２０の計数値をラッチするラッチ回路、７０８は出力レジスタ７０４から出力されるタイミング補正値とラッチ回路７０６が保持している値とを比較する比較器、７１０は比較器７０８が出力したトリガ信号をマスタクロックに同期させる出力ラッチ回路である。なお、７０９は第２のタイマ回路８０に与えられるトリガ信号を示す。
　また、第１８図は第２のタイマ回路８０の構成例を示す構成図である。図において、８０２はバス１６に接続されＣＰＵ１０から与えられた初期値を一時格納する初期値レジスタ、８０４はマスタクロックを計数するタイマカウンタである。
　次に動作について説明する。タイマ回路２０および第１のストローブ信号発生回路３の動作については、第１の実施例または第２の実施例における動作と同じであるから、ここでは説明を省略する。この場合には、ＣＰＵ１０は初期設定時に、比較回路７０、第２のタイマ回路８０および第２のストローブ信号発生回路９０にも各初期値を設定する。つまり、比較回路７０に対しては、基地局さら指定された送信タイミング補正量にもとづいて作成されたタイミング補正値を、第２のタイマ回路８０に対しては例えば「００００」の初期値を、そして第２のストローブ発生回路９０に対しては各ストローブ信号を発生させるための各設定値（各送信用設定値）を与える。ここで、第２のストローブ発生回路９０の構成として、第１図に示す構成を採用したときには、第１９図に示すようになる。従って、各比較回路９１１．９１ｍに各設定値が与えられる。
　比較回路７０において、入力レジスタ７０２に設定されたタイミング補正値は、フレーム割込み信号によって出力レジスタ７０４に移送させる。すると、比較器７０８はタイミング補正値とラッチ回路７０６に保持された第１のタイマ回路２０の計数値とを比較する。そして、それらが一致すると出力ラッチ回路７１０を介してトリガ信号を出力する。従って、ＣＰＵ１０が設定したタイミング補正値は、（タイミング補正値□第１のタイマ回路２０の初期値）×（マスタクロックの周期）が送信タイミングの補償値となるような値である。第２のタイマ回路８０において、タイマカウンタ８０４はこのトリガ信号の入力により初期値レジスタ８０２内の値を取り込んで計数を開始する。初期値が「００００」であったときには、「００００」からカウントアップする。そして、計数値は第２のストローブ信号発生回路９０に出力される。そして、以後、比較回路７０はＴＤＭＡフレームの周期と同じ周期でトリガ信号を出力し、第２のタイマ回路８０の計数値はそれに応じて「００００」にもどされる。なお、比較回路７０は、ＣＰＵ１０によりタイミング補正値が設定された後１回だけトリガ信号を出力し、第２のタイマ回路８０はそのトリガ信号により起動され、以後、第１のタイマ回路２０と同様に自身により初期値を再ロードするように構成してもよい。次に、第２のストローブ信号発生回路９０の各比較回路９１１．９１ｍは、第２のタイマ回路８０の計数値と各設定値とを比較して、それらが一致したらストローブ信号を出力する。出力されたストローブ信号は、無線送信部に与えられる。無線送信部は、与えられたストローブ信号に応じてタイミング制御を行う。このようにして、無線送信部は、補正された送信タイミングで送信制御を行える。
　そして、通信中に基地局から送信タイミング補正量の変更が通知されたときには、ＣＰＵ１０は変更が必要とされるＴＤＭＡフレームの直前のフレームを受信しているときに、比較回路７０の入力レジスタ７０２に対して変更されたタイミング補正値を設定する。すると、次のフレーム割込み信号により、新たなタイミング補正値が出力レジスタ７０４に移送される。従って、次ＴＤＭＡフレームから新たな補正タイミングで送信制御が可能となる。なお、この場合にも、第２のストローブ信号発生回路９０の後段に、第５図、第７図または第９図に示した回路を付加して、ストローブ信号を加工することも可能である。
　なお、移動局が高速で移動すると受信タイミング同期にずれが生ずるが、第２０図に示すような受信タイミングを検出するための回路を付加してこれを補正することができる。補正の動作については、第１２図に示す第３の実施例の場合と同じであり、ここでは説明を省略する。
　また、第２１図に示すように、フレーム数カウンタ１２２、アクティブフレーム検出器１２４およびゲート回路１２６を付加すれば、スーパフレームにおいて受信を要求さないＴＤＭＡフレームが入力したときに、フレーム割込み信号は発生せずＣＰＵ１０の間欠起動が可能になる。動作については、第１３図に示す第４の実施例の場合と同じであり、ここでは説明を省略する。
〔発明の効果〕
　この発明によれば、制御装置を、さらに第１のタイマ回路の計数値を送信タイミング補正量分だけずらした計数値と設定値とを比較して無線送信部に与えるストローブ信号を発生するように構成したので、ＣＰＵ等の制御部分が介在せずにタイミング制御が可能となることにより実時間制御が可能となり、しかも、容易にタイミング変更可能なものが得られる効果がある。さらに送信系のタイミング制御を容易に実現でき、しかも、容易にそのタイミングを変更可能なものが得られる効果がある。
【図面の簡単な説明】
第１図はこの発明の第１の実施例による制御装置を示すブロック図、第２図はストローブ信号と計数値との関係を示すタイミング図、第３図はタイマ回路の構成を示す構成図、第４図は比較回路の構成を示す構成図、第５図はストローブ信号のパルス幅を変更する回路を示す回路図、第６図はストローブ信号とＦ／Ｆ出力との関係を示すタイミング図、第７図はストローブ信号のパルス幅を変更する他の回路を示す回路図、第８図はカウンタ回路の出力とＦ／Ｆ出力との関係を示すタイミング図、第９図はシリアルデータを出力する回路の構成を示す構成図、第１０図はこの発明の第２の実施例による制御装置を示すブロック図、第１１図はデータ更新回路の構成を示す構成図、第１２図はこの発明の第３の実施例による制御装置を示すブロック図、第１３図はこの発明の第４の実施例による制御装置を示すブロック図、第１４図は送信起動信号とＣＰＵ動作との関係を示すタイミング図、第１５図は伝搬遅延時間を示すタイミング図、第１６図はこの発明の第５の実施例による制御装置を示すブロック図、第１７図は比較回路の構成を示す構成図、第１８図は第２のタイマ回路の構成を示す構成図、第１９図は第２のストローブ発生回路の構成を示す構成図、第２０図はこの発明の第６の実施例による制御装置を示すブロック図、第２１図はこの発明の第７の実施例による制御装置を示すブロック図、第２２図は自動車電話システムの移動局を示すブロック図、第２３図は従来の制御装置を示すブロック図、第２４図はＴＤＭＡフレームを示す説明図、第２５図はＴＸＯＮのタイミングを示すタイミング図である。１０はＣＰＵ、１１はＲＡＭ、１２はＲＯＭ、１６はバス、２０はタイマ回路、２０２は初期値レジスタ、２０４はタイマカウンタ、３は第１のストローブ信号発生回路、３０，３１．３ｎは比較回路、３０２は入力レジスタ、３０４は出力レジスタ、３０６はラッチ回路、３０８は比較器、３１０は出力ラッチ回路、６０はデータ更新回路、６２は選択回路、６４は書込制御回路、６６はＲＡＭ、６８は読出制御回路、７０は比較回路、７０２は入力レジスタ、７０４は出力レジスタ、７０６はラッチ回路、７０８は比較器、７１０は出力ラッチ回路、８０は第２のタイマ回路、８０２は初期値レジスタ、８０４はタイマカウンタ、９０は第２のストローブ信号発生回路、９１１．９１ｍは比較回路、１１２はユニークワード検出回路、１１４はラッチ回路、１２２はフレーム数カウンタ、１２４はアクティブ検出器、１２６はゲート回路。
　なお、図中、同一符号は同一、または相当部分を示す。